【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
コンテンツを画面上に表示するコンテンツ表示装置において、
ユーザ操作により前記コンテンツの切替指示を受け付けるコンテンツ切替指示受付手段と、
前記コンテンツ切替指示受付手段が受け付けた前記切替指示に従い、コンテンツリストにおいて定められた順序に基づき、前記画面上に表示する前記コンテンツを選択するコンテンツ選択手段と、
前記コンテンツ選択手段により選択された前記コンテンツを、前記画面上に表示させるコンテンツ表示手段と
を備えたことを特徴とするコンテンツ表示装置。
【請求項２】
前記コンテンツリストは、前記コンテンツの識別子および保持場所記述子をエントリとしたリストであることを特徴とする請求項１に記載のコンテンツ表示装置。
【請求項３】
前記定められた順序は、前記エントリの記載順序であることを特徴とする請求項２に記載のコンテンツ表示装置。
【請求項４】
表示中の前記コンテンツの前記識別子を含んだ、前記コンテンツリストの少なくとも一部を、前記画面上に表示するコンテンツリスト表示手段をさらに備えたことを特徴とする、請求項２または３に記載のコンテンツ表示装置。
【請求項５】
前記コンテンツリスト表示手段は、
前記コンテンツ切替指示受付手段が前記切替指示を受け付けた場合に、前記コンテンツリストの少なくとも一部を前記画面上に表示する
ことを特徴とする、請求項４に記載のコンテンツ表示装置。
【請求項６】
前記コンテンツリストを記憶した外部記憶装置から、前記コンテンツリストを取得するコンテンツリスト取得手段をさらに備えていることを特徴とする、請求項１から５のいずれか１項に記載のコンテンツ表示装置。
【請求項７】
外部との通信を行う通信手段と、前記通信手段を介して前記コンテンツリストを外部から取得するコンテンツリスト取得手段とをさらに備えていることを特徴とする、請求項１から６のいずれか１項に記載のコンテンツ表示装置。
【請求項８】
外部との通信を行う通信手段をさらに備え、
前記コンテンツ表示手段は、
前記コンテンツ選択手段により選択された前記コンテンツを、前記通信手段を介して、外部から取得する
ことを特徴とする、請求項１から７のいずれか１項に記載のコンテンツ表示装置。
【請求項９】
前記コンテンツ表示手段は、
前記コンテンツリスト内の前記コンテンツの記載順序と
現在表示している前記コンテンツが前記コンテンツリスト内のいずれのコンテンツであるかの情報と
に基づき、
前記コンテンツ切替指示受付手段が次にユーザからの前記切替指示を受け付ける際に、前記コンテンツ選択手段が選択する前記コンテンツを、
該切替指示に先立ち、予め取得しておく
ことを特徴とする、請求項８に記載のコンテンツ表示装置。
【請求項１０】
前記コンテンツリスト表示手段は、
前記コンテンツリスト内の少なくとも一部の前記コンテンツの識別子を前記画面上に表示する際、
取得が完了している前記コンテンツの前記コンテンツの識別子に対して、
前記取得の完了を示すアイコンを併せて表示する
ことを特徴とする、請求項４または５に記載のコンテンツ表示装置。
【請求項１１】
前記コンテンツリスト表示手段は、
前記コンテンツリスト内の少なくとも一部の前記コンテンツの識別子を前記画面上に表示する際、
該コンテンツの前記取得の完了度合いも併せて表示する
ことを特徴とする、請求項１０に記載のコンテンツ表示装置。
【請求項１２】
前記コンテンツリスト表示手段は、
前記コンテンツリストを表示してから一定時間の経過後、もしくは利用者からの入力によって、前記コンテンツリストの表示を、表示中の前記コンテンツのタイトル表示に変更することを特徴とする請求項４、５、１０、１１のいずれか１項に記載のコンテンツ表示装置。
【請求項１３】
前記コンテンツリストに記載された各コンテンツを、所定の時間間隔毎に、切り替えて表示する、スライドショーモードへの切り替え指示を、ユーザから受け付けるスライドショーモード設定手段をさらに備え、
前記コンテンツ表示手段は、
前記スライドショーモードが設定された場合は、
前記コンテンツ切替指示受付手段からの指示なしに、前記コンテンツリストに記載された各コンテンツを、前記所定の時間間隔毎に、切り替えて表示する
ことを特徴とする、請求項１から１２のいずれか１項に記載のコンテンツ表示装置。
【請求項１４】
ユーザから前記コンテンツの表示範囲変更指示を受け付ける、表示範囲変更指示受付手段と、
前記表示範囲変更指示受付手段が受け付けた前記表示範囲変更指示に従い、表示中の前記コンテンツの表示範囲制御を行う表示範囲制御手段と、
前記コンテンツ表示装置の動作モードを、表示中の前記コンテンツの表示範囲を制御するスクロールモードにするか、前記コンテンツリスト内のエントリの選択を制御するコンテンツ切替モードにするかを切り替える制御切替指示を受け付ける制御切替指示受付手段と
をさらに備え、
前記コンテンツ切替指示受付手段および前記表示範囲変更指示受付手段は、
兼用されており、
前記制御切替指示受付手段は、
前記スクロールモードのときは、前記表示範囲変更指示受付手段からの入力を、前記表示範囲制御手段へ渡し、
前記コンテンツ切替モードのときは、前記コンテンツ切替指示受付手段からの入力を、前記コンテンツ選択手段へ渡す
ことを特徴とする、請求項１から１３のいずれか１項に記載のコンテンツ表示装置。
【請求項１５】
前記表示範囲制御手段は、
表示中のコンテンツの内容に応じ、表示範囲を制御する方法を変更することを特徴とする、請求項１４に記載のコンテンツ表示装置。
【請求項１６】
前記表示範囲制御手段は、
表示中のコンテンツの内容に応じ、制御の対象となる表示範囲を変更することを特徴とする、請求項１４または１５に記載のコンテンツ表示装置。
【請求項１７】
前記制御切替指示受付手段は、前記コンテンツ切替指示受付手段とは別に設けられたボタンであることを特徴とする請求項１４から１６のいずれか１項に記載のコンテンツ表示装置。
【請求項１８】
前記コンテンツ切替指示受付手段と、前記表示範囲変更指示受付手段と、前記制御切替指示受付手段とは、
回転操作と押し込み操作とが可能なホイールにより兼用され、
前記ホイールは、
前記コンテンツ切替モードのときは、前記回転操作を、前記コンテンツ選択手段への入力として受け付け、
前記スクロールモードのときは、前記回転操作を、前記表示範囲制御手段への入力として受け付け、
前記押し込み操作を、前記制御切替指示受付手段への入力として受け付ける
ことを特徴とする、請求項１４から１７のいずれか１項に記載のコンテンツ表示装置。
【請求項１９】
前記制御切替指示受付手段は、前記画面に設けられたタッチセンサーからの入力であることを特徴とする請求項１４から１８のいずれか１項に記載のコンテンツ表示装置。
【請求項２０】
前記制御切替指示受付手段は、
前記スクロールモードのときに、前記表示範囲が前記表示中のコンテンツの端に達した後に、さらに同方向に表示範囲を移動させる前記表示範囲変更指示が入力された場合は、該表示範囲変更指示をトリガとして、前記スクロールモードを前記コンテンツ切替モードに変更する
ことを特徴とする、請求項１４から１９のいずれか１項に記載のコンテンツ表示装置。
【請求項２１】
前記画面上に、前記動作モードに応じた表示を行うことを特徴とする請求項１４から２０のいずれか１項に記載のコンテンツ表示装置。
【請求項２２】
前記制御切替指示受付手段での動作モードに応じて発光色を変更する発光手段を備えていることを特徴とする請求項１４から２１のいずれか１項に記載のコンテンツ表示装置。
【請求項２３】
表示中の前記コンテンツの入手元および属性の少なくともいずれか一方に応じて発光色を変更する発光手段を備えていることを特徴とする請求項１４から２２のいずれか１項に記載のコンテンツ表示装置。
【請求項２４】
表示中の前記コンテンツの入手元および属性の少なくともいずれか一方に応じて再生する音楽を変更する再生音楽変更手段を備えていることを特徴とする請求項１４から２３のいずれか１項に記載のコンテンツ表示装置。
【請求項２５】
前記コンテンツ選択手段と前記コンテンツ表示手段は、別々のアプリケーションプログラムにて制御されており、
前記コンテンツの切替指示は、前記コンテンツ選択手段に応じた前記アプリケーションプログラムにて制御される一方、前記コンテンツのスクロールは前記コンテンツ表示手段に応じた前記アプリケーションプログラムにて制御されることを特徴とする請求項１から２４のいずれか１項に記載のコンテンツ表示装置。
【請求項２６】
前記表示されるコンテンツは、
前記コンテンツ表示装置のメニュー画面である
ことを特徴とする、請求項１から２５のいずれか１項に記載のコンテンツ表示装置。
【請求項２７】
携帯型であることを特徴とする、請求項１から２６のいずれか１項に記載のコンテンツ表示装置。
【請求項２８】
請求項１から２７のいずれか１項に記載のコンテンツ表示装置を備えた、テレビジョン受像機。
【請求項２９】
請求項１から２６のいずれか１項に記載のコンテンツ表示装置の各手段として、コンピュータを機能させるためのコンテンツ表示制御プログラム。
【請求項３０】
請求項２９に記載のコンテンツ表示制御プログラムを記録したコンピュータ読み取り可能な記録媒体。
【請求項３１】
コンテンツを画面上に表示するコンテンツ表示方法において、
コンテンツ切替指示受付手段がユーザから前記コンテンツの切替指示を受け付けるコンテンツ切替指示受付ステップと、
コンテンツ選択手段が前記コンテンツ切替指示受付手段が受け付けた前記切替指示に従い、コンテンツリストにおいて定められた順序に基づき、前記画面上に表示する前記コンテンツを選択するコンテンツ選択ステップと、
コンテンツ表示手段が前記コンテンツ選択手段により選択された前記コンテンツを、前記画面上に表示させるコンテンツ表示ステップと
を含んだことを特徴とするコンテンツ表示方法。
【請求項３２】
前記コンテンツリストは、前記コンテンツの識別子および保持場所記述子をエントリとしたリストであることを特徴とする請求項３１に記載のコンテンツ表示方法。
【手続補正２】
【補正対象書類名】明細書
【補正対象項目名】発明の名称
【補正方法】変更
【補正の内容】
【発明の名称】コンテンツ表示装置、テレビジョン受像機、コンテンツ表示方法、コンテンツ表示制御プログラム、および記録媒体